(57)【要約】【課題】容易に外れてしまうことを抑制できる脱肛防止具を提供することを課題とする。【解決手段】肛門内に挿入される挿入部１と、前記挿入部１の基端側に設けられる支持部２と、を備え、前記挿入部１は、先端部１１ａが丸味を持って形成される頭部１１と、この頭部１１よりも小径に形成された首部１２と、を有し、前記支持部２は、前記頭部１１側に湾曲した足部２１を有していることを特徴とする構成となっている。【選択図】図１
0003218848.tif 000002
【実用新案登録請求の範囲】
【請求項１】
肛門内に挿入される挿入部と、
前記挿入部の基端側に設けられる支持部と、を備え、
前記挿入部は、先端部が丸味を持って形成される頭部と、
この頭部よりも小径に形成された首部と、を有し、
前記支持部は、前記頭部側に湾曲した足部を有していることを特徴とする脱肛防止具。
【請求項２】
前記足部は、前記挿入部の基端に２つ設けられ、
それぞれ反対方向に向かって延びるよう配置されていることを特徴とする、請求項１に記載の脱肛防止具。
【請求項３】
前記挿入部の長さは、４０〜８０ｍｍの範囲に設定されていることを特徴とする、請求項１又は請求項２に記載の脱肛防止具。
【請求項４】
前記足部の幅は、１０〜２５ｍｍの範囲に設定されていることを特徴とする、請求項１〜３の何れかに記載の脱肛防止具。
【請求項５】
前記頭部と前記首部の間には、段部が形成されていることを特徴とする、請求項１〜４の何れかに記載の脱肛防止具。
【請求項６】
前記挿入部及び前記支持部は、シリコーンゴムにより形成されていることを特徴とする、請求項１〜５の何れかに記載の脱肛防止具。
【考案の詳細な説明】
【技術分野】
【０００１】
本考案は、脱肛を防止する脱肛防止具に関する。
【背景技術】
【０００２】
従来、脱肛（内痔核が肛門外に出ること）が起こった場合には、痔核を肛門内に押し戻すことが大切であり、指等で押さえて痔核を押し戻すようにしていた。
【０００３】
しかしながら、発作的に脱肛が起こった場合、痛みや違和感で移動が困難となることや、痔核を押し戻す姿勢をとることが難しい等、人前で対処することが難しいという問題があった。また、押し戻した後にそのままにしておくと、すぐに逆戻りしてしまうという問題があった。
【０００４】
このような問題に対し、肛門内に挿入し、痔核を肛門内に押し込んで留めておく器具が種々提案されている。例えば、特許文献１には、器具本体が肛門内の痔を押さえる本体と、対外に出るのを防ぐくびれと、肛門内に入るのを防ぐストッパーを備える器具の技術が記載されている。
【先行技術文献】
【特許文献】
【０００５】
【特許文献１】特開２０１８−６８９９７号公報
【考案の概要】
【考案が解決しようとする課題】
【０００６】
しかしながら、特許文献１に記載されている器具は、くびれが設けられているものの、使用者の体勢や力加減によって、容易に肛門から外れてしまうという問題があった。
【０００７】
そこで、本考案は、容易に外れてしまうことを抑制できる脱肛防止具を提供することを課題とする。
【課題を解決するための手段】
【０００８】
上記課題を解決するため、本考案に係る脱肛防止具は、肛門内に挿入される挿入部と、前記挿入部の基端側に設けられる支持部と、を備え、前記挿入部は、先端部が丸味を持って形成される頭部と、この頭部よりも小径に形成された首部と、を有し、前記支持部は、前記頭部側に湾曲した足部を有していることを特徴とする。
【０００９】
本考案に係る脱肛防止具によれば、頭部側に湾曲した足部を設けたことにより、使用者の股位置に足部が配置されることにより、足部を挟みこんで脱肛防止具が抜けてしまうことを抑制することができる。
【００１０】
本考案の好ましい形態では、前記足部は、前記挿入部の基端に２つ設けられ、それぞれ反対方向に向かって延びるよう配置されていることを特徴とする。
このように、挿入部の基端から反対方向に向かって足部が設けられていることにより、使用者の臀部に沿って足部（支持部）が配置されるため、より脱肛防止具の抜けを抑制することができる。
【００１１】
本考案の好ましい形態では、前記挿入部の長さは、４０〜８０ｍｍの範囲に設定されていることを特徴とする。
挿入部の長さをこのような範囲に設定することにより、使用者が違和感なく使用することができ、かつ容易に外れてしまうことを抑制することができる。
【００１２】
本考案の好ましい形態では、前記足部の幅は、１０〜２５ｍｍの範囲に設定されていることを特徴とする。
足部の幅をこのような範囲に設定することにより、使用者が容易に足部を挟んで支持する事ができる。
【００１３】
本考案の好ましい形態では、前記頭部と前記首部の間には、段部が形成されていることを特徴とする。
このように、段部が形成されていることにより、肛門の入口付近で程よく“かえし”の役割をすることで、より脱肛防止具の抜けを抑制することができる。
【００１４】
本考案の好ましい形態では、前記挿入部及び前記支持部は、シリコーンゴムにより形成されていることを特徴とする。
【考案の効果】
【００１５】
本考案は、容易に外れてしまうことを抑制できる脱肛防止具を提供することができる。
【００１６】
他の課題、特徴及び利点は、図面及び実用新案登録請求の範囲とともに取り上げられる際に、以下に記載される考案を実施するための形態を読むことにより明らかになるであろう。
【図面の簡単な説明】
【００１７】
【図１】本考案の一実施形態に係る脱肛防止具の正面図である。
【図２】本考案の一実施形態に係る脱肛防止具の側面図である。
【図３】本考案の一実施形態に係る脱肛防止具の斜視図である。
【図４】本考案の一実施形態に係る脱肛防止具の使用状態を示す説明図である。
【考案を実施するための形態】
【００１８】
以下、本考案を図面に示した好ましい一実施形態について、図１〜図４を用いて詳細に説明する。本考案の技術的範囲は、添付図面に示した実施形態に限定されるものではなく、実用新案登録請求の範囲に記載された範囲内において、適宜変更が可能である。
【００１９】
図１は、本考案に係る脱肛防止具Ａの正面図を示している。図２は、本考案に係る脱肛防止具Ａの側面図を示している。図３は、本考案に係る脱肛防止具Ａの斜視図を示している。図４は、本考案に係る脱肛防止具Ａの使用状態を示す説明図である。
【００２０】
本考案に係る脱肛防止具Ａは、使用者Ｘの肛門内に挿入される挿入部１と、この挿入部１の基端側に設けられる支持部２と、を備えている。
なお、本実施形態では、支持部２から挿入部１に向かう方向を先端方向とし、逆に挿入部１から支持部２に向かう方向を基端方向として先端-基端方向を定める。
【００２１】
この脱肛防止具Ａは、可撓性を有する材料で形成されるのが望ましく、より具体的には、シリコーンゴム等の医療用に用いられる材料を採用することが望ましい。なお、このシリコーンゴムの固さとしては、ショア固さ５０±５ＨＳを例示することができる。
また、脱肛防止具Ａの全体の長さＡＨの範囲は、好ましくは５０〜８０ｍｍの範囲に設定されており、より好ましくは６０〜７０ｍｍの範囲に設定されている。
【００２２】
挿入部１は、先端部１１ａが丸味を持って形成される頭部１１と、この頭部１１よりも小径に形成された首部１２と、を有している。この挿入部１の長さ１Ｈは、使用者Ｘの肛門に挿入可能な範囲に形成されており、好ましくは４０〜８０ｍｍの範囲に設定されており、より好ましくは５０〜７０ｍｍの範囲に設定されている。
挿入部１の長さＨ１が８０ｍｍより長い場合には、肛門内の大きさに対して挿入部１が大きすぎ、首部１２の部分で折れてしまって、肛門に挿入し難いという問題がある。
一方で、挿入部１の長さＨ１が４０ｍｍより短い場合には、肛門内に挿入部１が深く挿入できず、肛門から抜け落ちてしまいやすいという問題がある。
【００２３】
頭部１１は、基端側よりも先端側が先細るような卵状に形成されており、使用者Ｘの肛門に挿入しやすいよう構成されている。この頭部１１の高さ１１Ｈは、２０〜４０ｍｍの範囲に設定されており、より好ましくは２５〜３５ｍｍの範囲に設定されている。
また、この頭部１１の直径１１Ｄは、１０〜３０ｍｍの範囲に設定されており、より好ましくは１５〜２０ｍｍの範囲に設定されている。
頭部１１の直径Ｄが３０ｍｍより大径である場合には、本考案に係る脱肛防止具Ａを挿入した際の異物感が大きいという問題がある。
一方で、頭部１１の直径Ｄが１０ｍｍより小径である場合には、肛門に頭部１１が引っかからず、肛門から抜け落ちてしまいやすいという問題がある。
【００２４】
なお、頭部１１の基端側には、首部１２との接続部分に段部１１ｂが形成されており、肛門の入口付近に引っかかって、脱肛防止具Ａが抜けにくいよう構成されている。
【００２５】
首部１２は、柱状に形成されており、図１〜図４においては円柱状に形成した例を示している。なお、円柱以外にも柱状であれば当然に採用することができる。首部１２の高さ１２Ｈは、好ましくは1０〜５０ｍｍの範囲に設定されており、より好ましくは２０〜４０ｍｍの範囲に設定されている。首部１２の直径１２Ｄは、頭部１１の直径１１Ｄよりも小径に形成されており、好ましくは５〜２０ｍｍの範囲に設定されており、より好ましくは８〜１２ｍｍの範囲に設定されている。
【００２６】
支持部２は、頭部１１側に湾曲した足部２１を有している。図１〜４に示した脱肛防止具Ａは、足部２１が挿入部１の基端に２つ設けられ、それぞれ反対方向に向かって延びるよう配置されている様子を示している。
【００２７】
足部２１は、図４に示すように、使用者Ｘの臀部に挟み込むことができる大きさに形成されている。足部２１の幅２１Ｗは、好ましくは１０〜２５ｍｍの範囲に設定されており、より好ましくは１４〜２０ｍｍの範囲に設定されている。
このような寸法に設定することにより、使用者Ｘの臀部にフィットする形態に設定されている。すなわち、足部２１の幅２１Ｗが２５ｍｍより幅広である場合には、使用者Ｘの臀部に挟んだ時に異物感が大きいという問題がある。一方、足部２１の幅２１Ｗが１０ｍｍより幅狭である場合には、使用者Ｘの臀部に適切に挟むことが難しくなり、脱肛防止具Ａが抜け落ちてしまいやすくなるという問題がある。
【００２８】
また、足部２１の長さ２１Ｌは、好ましくは１０〜４０ｍｍの範囲に設定されており、より好ましくは１５〜３０ｍｍの範囲に設定されている。
足部２１の長さ２１Ｌが４０ｍｍより長い場合には、使用者Ｘの臀部に挟んだ時に異物感が大きいという問題がある。一方、足部２１の長さ２１Ｌが１０ｍｍより短い場合には、使用者Ｘの臀部で適切に挟むことが難しくなり、脱肛防止具Ａが抜け落ちてしまいやすくなるという問題がある。
【００２９】
また、この足部２１の先端側は、頭部１１側に湾曲するように形成されており、１５ｍｍ程度の立ち上がりが形成されている。このように足部２１が湾曲していることにより、使用者Ｘの臀部の割れ目に沿って足部２１（支持部２）が配置される。
【００３０】
なお、足部２１が２つ設けられた例を示したが、足部２１を１つ以上設ければ良く、使用者Ｘの臀部に挟みこんで、脱肛防止具Ａのズレを抑制することが当然に可能である。
一方で、足部２１を２つ設ける場合には、使用者Ｘの肛門の両側から伸びる割れ目に沿ってフィットすることに加え、使用者が着用するパンツとの接触面積が増大するため、より効果的に脱肛防止具Ａのズレを抑制することができる。
【００３１】
本考案に係る脱肛防止具Ａによれば、頭部１１側に足部２１を設け、使用者Ｘの股位置（足の付け根位置）に足部２１が配置されることにより、足部を使用者の臀部で挟みこむことで、脱肛防止具Ａが抜けてしまうことを抑制することができる。
【００３２】
また、本考案に係る脱肛防止具Ａによれば、臀部の割れ目に沿って足部２１を配置することにより、支持部２全体を使用者Ｘの臀部にフィットさせ、脱肛防止具Ａのズレを抑制することができる。
【００３３】
また、本考案に係る脱肛防止具Ａによれば、頭部１１と首部１２の間に段部１１ｂが形成されていることにより、この段部１１ｂが肛門の入口付近で程よく“かえし”の役割をして、より脱肛防止具Ａの抜けを抑制することができる。
このように、肛門の内側には段部１１ｂが設けられ、肛門の外側には足部２１が設けられていることにより、肛門の内側と外側の両側から脱肛防止具Ａが外れることを防止することができる。
【符号の説明】
【００３４】
Ａ  脱肛防止具
１  挿入部
１１  頭部
１１ａ  先端部
１１ｂ  段部
１２  首部
２  支持部
２１  足部
Ｘ  使用者
【図１】
0003218848.tif 000003
【図２】
0003218848.tif 000004
【図３】
0003218848.tif 000005
【図４】
0003218848.tif 000006